(57)【要約】【課題】端末本体のより広い領域を被覆部によって覆うことができ、且つ、開閉部材を開閉する際にカバーに対する操作をより小さくすることが可能な構成を提供する。【解決手段】端末本体１２に装着されるカバー１４は、当該カバー１４が端末本体１２に装着された装着状態において本体側開口部７０が設けられた側の第１外面部５１を覆う第１被覆部８１と、本体側開口部７０が設けられた側とは反対側の第２外面部５２を覆う第２被覆部８２と備え、装着状態のときに端末本体１２における所定方向の一端部側から他端部側に及ぶ構成となっている。そして、第１被覆部８１には、装着状態において開閉部材６０を少なくとも部分的に露出させるカバー側開口部９０が形成され、少なくともカバー側開口部９０が伸縮性を有する構成となっている。【選択図】図７
2016018452.tif 000002
【特許請求の範囲】
【請求項１】
部品の出入口となる本体側開口部が外面部に形成され、且つ前記本体側開口部を開閉する開閉部材が設けられてなる端末本体と、
少なくとも一部が伸縮性材料によって構成され、前記端末本体の外側を部分的に覆う構成で前記端末本体に装着されるカバーと、
を備え、
前記端末本体における所定方向の一端部寄りに前記本体側開口部が形成されており、
前記カバーは、
当該カバーが前記端末本体に装着された装着状態において、前記端末本体における前記本体側開口部が設けられた側の第１外面部を覆う第１被覆部と、
前記装着状態において、前記端末本体における前記本体側開口部が設けられた側とは反対側の第２外面部を覆う第２被覆部と、
を備え、
前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、少なくとも前記カバー側開口部が伸縮性を有する構成であることを特徴とする携帯端末。
【請求項２】
前記第１被覆部及び前記第２被覆部のいずれもが伸縮性材料によって構成されていることを特徴とする請求項１に記載の携帯端末。
【請求項３】
前記装着状態において、前記カバー側開口部が前記開閉部材の外縁部に沿って配置されることを特徴とする請求項１又は請求項２に記載の携帯端末。
【請求項４】
前記端末本体は、前記第１外面部及び前記第２外面部が長手状に構成された長手状の構造であり、
前記本体側開口部は、前記第１外面部の長手方向一端部寄りに形成されており、
前記第１外面部の長手方向一端部には、当該第１外面部の長手方向と直交する幅方向の両側に一対の角部が形成されており、
前記第１被覆部は、前記装着状態において一対の前記角部をそれぞれ覆う構成で配置されることを特徴とする請求項１から請求項３のいずれか一項に記載の携帯端末。
【請求項５】
前記第１被覆部は、前記装着状態において前記カバー側開口部の開口領域内に前記開閉部材が収まる構成で配置されることを特徴とする請求項１から請求項４のいずれか一項に記載の携帯端末。
【請求項６】
前記第１被覆部の外面部において前記カバー側開口部寄りの位置に、前記端末本体側とは反対側に突出する突出部が部分的に形成されていることを特徴とする請求項１から請求項５のいずれか一項に記載の携帯端末。
【請求項７】
前記開閉部材は、前記本体側開口部を閉塞可能な閉塞部と、前記閉塞部に連結されると共に外部からの変位操作が可能に構成された係合部と、を備え、
前記端末本体は、前記装着状態において前記カバー側開口部寄りの位置に前記係合部が配置される構成であることを特徴とする請求項１から請求項６のいずれか一項に記載の携帯端末。
【請求項８】
前記開閉部材は、前記閉塞部の外縁部と前記係合部との間に凹部が形成されており、
前記端末本体は、前記装着状態において前記カバー側開口部の開口領域内に前記凹部の凹み領域が配置される構成であることを特徴とする請求項７に記載の携帯端末。
【請求項９】
前記携帯端末は、所定の置台によって保持され得る構成であり、
前記カバーには、前記端末本体における前記開閉部材とは異なる部位を当該カバーの外部に露出させる第２開口部が形成されており、
前記装着状態の前記携帯端末が前記置台に載置された載置状態において、前記本体側開口部から露出する前記開閉部材が、前記置台の所定の第１支持部に接触して支持され、前記端末本体における前記第２開口部から露出する第２露出部が、前記置台の所定の第２支持部に接触して支持されることを特徴とする請求項１から請求項８のいずれか一項に記載の携帯端末。
【請求項１０】
部品の出入口となる本体側開口部が外面部に形成され、且つ前記本体側開口部を開閉する開閉部材が設けられてなる端末本体と、
前記端末本体の外側を部分的に覆う構成で前記端末本体に装着されるカバーと、
を備え、
前記携帯端末は、所定の置台によって保持され得る構成であり、
前記端末本体における所定方向の一端部寄りに前記本体側開口部が形成されており、
前記カバーは、当該カバーが前記端末本体に装着された装着状態において、前記端末本体における前記本体側開口部が設けられた側の第１外面部を覆う第１被覆部と、前記装着状態において、前記端末本体における前記本体側開口部が設けられた側とは反対側の第２外面部を覆う第２被覆部と、を備え、前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、
前記カバーには、前記端末本体における前記開閉部材とは異なる部位を当該カバーの外部に露出させる第２開口部が形成されており、
前記装着状態の前記携帯端末が前記置台に載置された載置状態において、前記本体側開口部から露出する前記開閉部材が、前記置台の所定の第１支持部に接触して支持され、前記端末本体における前記第２開口部から露出する第２露出部が、前記置台の所定の第２支持部に接触して支持されることを特徴とする携帯端末。
【請求項１１】
前記カバーが前記端末本体から取り外された取外状態で前記端末本体が前記置台に載置された場合でも、前記開閉部材が前記第１支持部に接触して支持され、前記第２露出部が前記第２支持部に接触して支持されることを特徴とする請求項９又は請求項１０に記載の携帯端末。
【請求項１２】
前記カバーは、前記端末本体の前記所定方向における前記第１外面部及び前記第２外面部のそれぞれの端部側に設けられた端部側壁部を覆う端部側被覆部を備え、
前記端部側被覆部に、前記第２開口部の少なくとも一部をなす端部開口部が形成されており、
前記装着状態の前記携帯端末が前記置台に載置された載置状態において、前記端部側壁部における前記端部開口部から露出する端部側露出部が、前記置台に設けられた端部支持部に接触して支持され、
前記カバーが前記端末本体から取り外された取外状態で前記端末本体が前記置台に載置された場合でも、前記端部側露出部が、前記置台の前記端部支持部に接触して支持されることを特徴とする請求項９から請求項１１のいずれか一項に記載の携帯端末。
【請求項１３】
前記カバーは、前記端末本体の所定の幅方向両側に設けられた一対の側面部をそれぞれ覆う一対の側面被覆部を備え、
一対の前記側面被覆部に、前記第２開口部の少なくとも一部をなす側面開口部がそれぞれ形成されており、
前記装着状態の前記携帯端末が前記置台に載置された載置状態において、一対の前記側面部における各々の前記側面開口部からそれぞれ露出する各側面露出部が、前記置台に設けられた一対の側面支持部に接触して支持され、
前記カバーが前記端末本体から取り外された取外状態で前記端末本体が前記置台に載置された場合でも、一対の前記側面露出部が、前記置台の一対の前記側面支持部にそれぞれ接触して支持されることを特徴とする請求項９から請求項１２のいずれか一項に記載の携帯端末。
【請求項１４】
前記装着状態において、一対の前記側面部におけるそれぞれの端部である側面角部が一対の前記側面開口部からそれぞれ露出する構成であり、
前記装着状態の前記携帯端末が前記置台に載置された載置状態において、一対の前記側面角部が前記置台に設けられた一対の前記側面支持部にそれぞれ接触して支持され、
前記カバーが前記端末本体から取り外された取外状態で前記端末本体が前記置台に載置された場合でも、一対の前記側面角部が、前記置台の一対の前記側面支持部にそれぞれ接触して支持されることを特徴とする請求項１３に記載の携帯端末。
【請求項１５】
前記第２被覆部には、前記第２開口部の少なくとも一部をなす表面側開口部が形成されており、
前記装着状態の前記携帯端末が前記置台に載置された載置状態において、前記表面側開口部から露出する前記第２外面部が、前記置台の表面支持部に接触して支持され、
前記カバーが前記端末本体から取り外された取外状態で前記端末本体が前記置台に載置された場合でも、前記第２外面部が、前記置台の前記表面支持部に接触して支持されることを特徴とする請求項９から請求項１４のいずれか一項に記載の携帯端末。
【請求項１６】
前記本体側開口部は、前記第１外面部の長手方向の一方側に寄った構成で形成されており、
前記第１外面部の長手方向において前記本体側開口部の他方側の端部は、前記第１外面部の長手方向の中心位置よりも他方側寄りに配置されており、
前記第１外面部の長手方向において前記カバー側開口部の他方側の端部は、前記第１外面部の長手方向の中心位置よりも他方側寄りに配置されていることを特徴とする請求項１から請求項１５のいずれか一項に記載の携帯端末。
【請求項１７】
前記端末本体は、情報コードを撮像する撮像部と、前記撮像部が撮像した情報コードを解読する解読部と、を備えた情報コード読取装置として構成され、
前記端末本体の長手方向の一方側寄りに電池の出入口となる前記本体側開口部が設けられ、前記端末本体の長手方向他方側に前記情報コードからの光を取り込む読取口が形成されており、
前記装着状態において、前記第２被覆部が前記第２外面部を覆う面積よりも、前記第１被覆部が前記第１外面部を覆う面積のほうが大きくなっていることを特徴とする請求項１から請求項１６のいずれか一項に記載の携帯端末。
【請求項１８】
前記第１被覆部及び前記第２被覆部には、前記装着状態のときの前記端末本体の長手方向における前記本体側開口部よりも前記読取口側の位置に、前記本体側開口部の内縁部よりも厚く構成された厚肉部がそれぞれ設けられていることを特徴とする請求項１から請求項１７のいずれか一項に記載の携帯端末。
【請求項１９】
電池の出入口となる本体側開口部が外面部に形成され且つ前記本体側開口部を開閉する開閉部材が設けられてなる端末本体と、前記端末本体の外側を部分的に覆う構成で前記端末本体に装着されるカバーと、を備えた携帯端末と、
前記携帯端末を置く置台と、
を備えた携帯端末システムであって、
前記端末本体における所定方向の一端部寄りに前記本体側開口部が形成されており、
前記カバーは、
当該カバーが前記端末本体に装着された装着状態において、前記端末本体における前記本体側開口部が設けられた側の第１外面部を覆う第１被覆部と、
前記装着状態において、前記端末本体における前記本体側開口部が設けられた側とは反対側の第２外面部を覆う第２被覆部と、
を備え、
前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、
前記端末本体における前記開閉部材とは異なる部位を当該カバーの外部に露出させる第２開口部が形成されており、
前記装着状態の前記携帯端末が前記置台に載置された載置状態において、前記本体側開口部から露出する前記開閉部材が、前記置台の所定の第１支持部に接触して支持され、前記端末本体における前記第２開口部から露出する第２露出部が、前記置台の所定の第２支持部に接触して支持されることを特徴とする携帯端末システム。
【請求項２０】
部品の出入口となる本体側開口部が外面部に形成されると共に前記本体側開口部を開閉する開閉部材が設けられ且つ所定方向の一端部寄りに前記本体側開口部が形成されてなる端末本体を装着対象とし、当該端末本体の外側を部分的に覆う構成で当該端末本体に装着されるカバーであって、
前記端末本体に装着された装着状態において、前記端末本体における前記本体側開口部が設けられた側の第１外面部を覆う第１被覆部と、
前記装着状態において、前記端末本体における前記本体側開口部が設けられた側とは反対側の第２外面部を覆う第２被覆部と、
を備え、
前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、少なくとも前記カバー側開口部が伸縮性を有する構成であることを特徴とする携帯端末のカバー。
【発明の詳細な説明】
【技術分野】
【０００１】
本発明は、携帯端末、携帯端末システム、及び携帯端末のカバーに関するものである。
【背景技術】
【０００２】
携帯型情報コードリーダや、携帯型タグリーダなどの携帯端末は、使用時や搬送時などにおいて機器の落下や機器に対する他物体の衝突などが想定されるため、このような衝撃をできるだけ緩和し得る構造が求められる。なお、携帯型の機器を保護しようとする技術としては、例えば特許文献１のようなものが提案されている。
【先行技術文献】
【特許文献】
【０００３】
【特許文献１】特開２００９−３９１５６号公報
【発明の概要】
【発明が解決しようとする課題】
【０００４】
特許文献１の技術は、携帯機器を覆うようにカバーを取り付け、このようなカバーによって外部からの衝撃を受けることで、携帯機器に加わる衝撃を緩和しようとするものであるが、この技術を用いた場合、カバーが交換部品の着脱箇所を覆ってしまうという問題があった。
【０００５】
携帯機器では、一般的に、乾電池や充電池等の交換部品（ある程度の頻度で交換が予想される部品）が存在し、このような部品のメンテナンスを行い易くするために、機器の一部を開閉可能としている構成が多い。このため、特許文献１の図５、図６のような構成を単に用いただけでは、開閉部材（例えば、電池蓋等）をカバーが完全に覆ってしまうことになり、メンテナンスの度にカバーを大きく取り外す必要が生じるため、使用者の作業負担が大きくなってしまう。
【０００６】
一方、特許文献１の図１２には、携帯機器の一部のみをカバーで覆う技術も開示されている。しかしながら、この技術では、携帯機器の半分以上の領域にカバーが全く配置されないため、露出側の領域に落下や衝突等による衝撃が加わった場合に、衝撃を全く緩和できなくなってしまうという問題がある。
【０００７】
本発明は、端末本体のより広い領域を被覆部によって覆うことができ、且つ、開閉部材を開閉する際にカバーに対する操作をより小さくすることが可能な構成を提供することを目的とする。
【課題を解決するための手段】
【０００８】
第１の発明は、
部品の出入口となる本体側開口部が外面部に形成され、且つ前記本体側開口部を開閉する開閉部材が設けられてなる端末本体と、
少なくとも一部が伸縮性材料によって構成され、前記端末本体の外側を部分的に覆う構成で前記端末本体に装着されるカバーと、
を備え、
前記端末本体における所定方向の一端部寄りに前記本体側開口部が形成されており、
前記カバーは、
当該カバーが前記端末本体に装着された装着状態において、前記端末本体における前記本体側開口部が設けられた側の第１外面部を覆う第１被覆部と、
前記装着状態において、前記端末本体における前記本体側開口部が設けられた側とは反対側の第２外面部を覆う第２被覆部と、
を備え、
前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、少なくとも前記カバー側開口部が伸縮性を有する構成であることを特徴とする。
【０００９】
第２の発明は、
部品の出入口となる本体側開口部が外面部に形成され、且つ前記本体側開口部を開閉する開閉部材が設けられてなる端末本体と、
前記端末本体の外側を部分的に覆う構成で前記端末本体に装着されるカバーと、
を備え、
前記携帯端末は、所定の置台によって保持され得る構成であり、
前記端末本体における所定方向の一端部寄りに前記本体側開口部が形成されており、
前記カバーは、当該カバーが前記端末本体に装着された装着状態において、前記端末本体における前記本体側開口部が設けられた側の第１外面部を覆う第１被覆部と、前記装着状態において、前記端末本体における前記本体側開口部が設けられた側とは反対側の第２外面部を覆う第２被覆部と、を備え、前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、
前記カバーには、前記端末本体における前記開閉部材とは異なる部位を当該カバーの外部に露出させる第２開口部が形成されており、
前記装着状態の前記携帯端末が前記置台に載置された載置状態において、前記本体側開口部から露出する前記開閉部材が、前記置台の所定の第１支持部に接触して支持され、前記端末本体における前記第２開口部から露出する第２露出部が、前記置台の所定の第２支持部に接触して支持されることを特徴とする。
【００１０】
第３の発明は、
電池の出入口となる本体側開口部が外面部に形成され且つ前記本体側開口部を開閉する開閉部材が設けられてなる端末本体と、前記端末本体の外側を部分的に覆う構成で前記端末本体に装着されるカバーと、を備えた携帯端末と、
前記携帯端末を置く置台と、
を備えた携帯端末システムであって、
前記端末本体における所定方向の一端部寄りに前記本体側開口部が形成されており、
前記カバーは、
当該カバーが前記端末本体に装着された装着状態において、前記端末本体における前記本体側開口部が設けられた側の第１外面部を覆う第１被覆部と、
前記装着状態において、前記端末本体における前記本体側開口部が設けられた側とは反対側の第２外面部を覆う第２被覆部と、
を備え、
前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、
前記端末本体における前記開閉部材とは異なる部位を当該カバーの外部に露出させる第２開口部が形成されており、
前記装着状態の前記携帯端末が前記置台に載置された載置状態において、前記本体側開口部から露出する前記開閉部材が、前記置台の所定の第１支持部に接触して支持され、前記端末本体における前記第２開口部から露出する第２露出部が、前記置台の所定の第２支持部に接触して支持されることを特徴とする。
【００１１】
第４の発明は、
部品の出入口となる本体側開口部が外面部に形成されると共に前記本体側開口部を開閉する開閉部材が設けられ且つ所定方向の一端部寄りに前記本体側開口部が形成されてなる端末本体を装着対象とし、当該端末本体の外側を部分的に覆う構成で当該端末本体に装着されるカバーであって、
前記端末本体に装着された装着状態において、前記端末本体における前記本体側開口部が設けられた側の第１外面部を覆う第１被覆部と、
前記装着状態において、前記端末本体における前記本体側開口部が設けられた側とは反対側の第２外面部を覆う第２被覆部と、
を備え、
前記装着状態のときに前記端末本体における前記所定方向の一端部側から他端部側に及ぶ構成であり、
前記第１被覆部には、前記装着状態において前記開閉部材を少なくとも部分的に露出させるカバー側開口部が形成され、少なくとも前記カバー側開口部が伸縮性を有する構成であることを特徴とする。
【発明の効果】
【００１２】
請求項１の発明によれば、カバーが端末本体に装着された装着状態のときに端末本体における所定方向の一端部側から他端部側に及ぶ構成でカバーが配置されるため、端末本体のより広い領域を保護することができる。
更に、カバーの第１被覆部には、装着状態において開閉部材を少なくとも部分的に露出させるカバー側開口部が形成され、少なくともカバー側開口部が伸縮性を有する構成となっている。この構成によれば、装着状態のときに開閉部材を開閉する必要が生じた場合に、カバーを完全に取り外さずに開閉部材を開閉することができる。従って、装着状態のときでも開閉部材の開閉操作が行いやすくなり、メンテナンス等において使用者の作業負担をより低減することができる。
【００１３】
請求項２の発明では、第１被覆部及び第２被覆部のいずれもが伸縮性材料によって構成されている。この構成では、カバーが全体的に伸縮しやすく、変形の自由度が大きいため、端末本体に対するカバーの着脱操作がより行いやすくなる。
【００１４】
請求項３の発明では、装着状態において、カバー側開口部が開閉部材の外縁部に沿って配置されている。このようにカバー側開口部が開閉部材の外縁部に合わせた構成となっていれば、開閉部材を開閉する必要が生じた場合に、カバー側開口部をそれほど変形させなくても開閉部材を開閉することが可能となり、使用者の作業負担を一層低減することができる。
【００１５】
請求項４の発明では、端末本体は、第１外面部及び第２外面部が長手状に構成された長手状の構造であり、本体側開口部は、第１外面部の長手方向一端部寄りに形成されており、第１外面部の長手方向一端部には、当該第１外面部の長手方向と直交する幅方向の両側に一対の角部が形成されている。そして、第１被覆部は、装着状態において一対の角部をそれぞれ覆う構成で配置される。
この構成によれば、第１外面部の長手方向一端部寄りに本体側開口部を設け、第１外面部の長手方向一端部側で開閉部材を開閉可能な構成を実現しつつ、その長手方向一端部側に形成された角部を効果的に保護することができる。つまり、第１外面部の長手方向一端部寄りの本体側開口部に合わせて開口領域（カバー側開口部の開口領域）を設けつつも、それよりも端部側の角位置に衝撃吸収部分を設けることができるため、開口領域が角位置まで続く構成と比較して開口領域内に衝撃が加わりにくくなり、機器の保護効果がより高くなる。
【００１６】
請求項５の発明では、第１被覆部は、装着状態においてカバー側開口部の開口領域内に開閉部材が収まる構成で配置される。この構成によれば、装着状態において開閉部材を開閉する必要が生じた場合に、カバー側開口部をそれほど動かさなくても、或いは全く動かさなくても開閉部材を開閉することが可能となり、開閉部材の開閉操作をより一層簡単に行うことができる。
【００１７】
請求項６の発明では、第１被覆部の外面部においてカバー側開口部寄りの位置に、端末本体側とは反対側に突出する突出部が部分的に形成されている。この構成では、装着状態のときに開閉部材を開閉する必要が生じた場合に、カバー側開口部を変形する操作を行いやすくなる。例えば、突出部を指等で挟み込んで引っ張るといった操作を行えば、端末本体に密着したカバー側開口部付近を容易に変形させることができる。
【００１８】
請求項７の発明では、開閉部材が、本体側開口部を閉塞可能な閉塞部と、閉塞部に連結されると共に外部からの変位操作が可能に構成された係合部と、を備えている。そして、端末本体は、装着状態においてカバー側開口部寄りの位置に係合部が配置される構成である。
この構成では、装着状態のときに開閉部材を開放する場合、カバー側開口部寄りに設けられた係合部にアクセスして係合を解除すれば良いため、係合解除の際にも、カバーをそれほど大きく変形させる必要がない。
【００１９】
請求項８の発明では、開閉部材は、閉塞部の外縁部と係合部との間に凹部が形成されている。端末本体は、装着状態においてカバー側開口部の開口領域内に凹部の凹み領域が配置される構成となっている。
この構成では、装着状態のときに開閉部材を開閉する必要が生じた場合に、係合部に対する操作を行いやすくなる。特に、開口領域内に凹み領域が存在するため、この凹み領域に指を挿入して係合部にアクセスするといった操作が行いやすくなる。
【００２０】
請求項９、１０の発明によれば、カバーを装着した状態で端末本体を充電装置に載置した場合でも、端末本体が安定的に保持されることになる。特に、本体側開口部から露出する開閉部材と、第２開口部から露出する第２露出部とを、充電装置の第１支持部及び第２支持部によってそれぞれ支持することができるため、カバーだけを支持する構成と比較してぐらつき等を抑えやすく、安定的な保持が可能となる。
【００２１】
請求項１１の発明では、カバーが端末本体から取り外された取外状態で端末本体が充電装置に載置された場合でも、開閉部材が第１支持部に接触して支持され、第２露出部が第２支持部に接触して支持される構成なっている。
この構成によれば、カバーが装着された装着状態のときでも、カバーが装着されていない端末本体単体のときでも、開閉部材と第２露出部とを充電装置によって支持することができ、いずれの場合でも、支持の安定化が図られる。しかも、装着状態のときでも端末本体単体のときでも、同様の支持位置で支持されるため、いずれの場合でも、充電が適切に行われる姿勢に保ちやすくなる。
【００２２】
請求項１２の発明では、カバーは、端末本体の所定方向における第１外面部及び第２外面部のそれぞれの端部側に設けられた端部側壁部を覆う端部側被覆部を備え、端部側被覆部に、第２開口部の少なくとも一部をなす端部開口部が形成されている。そして、装着状態の携帯端末が充電装置に載置された載置状態において、端部側壁部における端部開口部から露出する端部側露出部が、充電装置に設けられた端部支持部に接触して支持され、カバーが端末本体から取り外された取外状態で端末本体が充電装置に載置された場合でも、端部側露出部が、充電装置の端部支持部に接触して支持される構成となっている。
この構成では、カバーが装着された装着状態のときでも、カバーが装着されていない端末本体単体のときでも、端部側露出部が充電装置に支持されることになる。従って、装着状態の場合と端末本体単体の場合とで、充電装置に支持される端末の高さが変化しにくくなり、いずれの場合でも、所望の支持高さが維持されやすくなる。
【００２３】
請求項１３の発明では、カバーは、端末本体の所定の幅方向両側に設けられた一対の側面部をそれぞれ覆う一対の側面被覆部を備え、一対の側面被覆部に、第２開口部の少なくとも一部をなす側面開口部がそれぞれ形成されている。そして、装着状態の携帯端末が充電装置に載置された載置状態において、一対の側面部における各々の側面開口部からそれぞれ露出する各側面露出部が、充電装置に設けられた一対の側面支持部に接触して支持され、カバーが端末本体から取り外された取外状態で端末本体が充電装置に載置された場合でも、一対の側面露出部が、充電装置の一対の側面支持部にそれぞれ接触して支持される構成となっている。
この構成では、装着状態でも端末本体単体でも、充電装置に載置したときに、端末本体の両側面と開閉部材との少なくとも３位置を安定的に支持することができる。
【００２４】
請求項１４の発明は、装着状態において、一対の側面部におけるそれぞれの端部である側面角部が一対の側面開口部からそれぞれ露出する構成であり、装着状態の携帯端末が充電装置に載置された載置状態において、一対の側面角部が充電装置に設けられた一対の側面支持部にそれぞれ接触して支持され、カバーが端末本体から取り外された取外状態で端末本体が充電装置に載置された場合でも、一対の側面角部が、充電装置の一対の側面支持部にそれぞれ接触して支持される構成となっている。
この構成では、装着状態でも端末本体単体でも、充電装置に載置したときに、端末本体の両側面角部と開閉部材との少なくとも３位置を安定的に支持することができる。
【００２５】
請求項１５の発明では、第２被覆部において、第２開口部の少なくとも一部をなす表面側開口部が形成されており、装着状態の携帯端末が充電装置に載置された載置状態において、表面側開口部から露出する第２外面部が、充電装置の表面支持部に接触して支持され、カバーが端末本体から取り外された取外状態で端末本体が充電装置に載置された場合でも、第２外面部が、充電装置の表面支持部に接触して支持される構成なっている。
この構成では、装着状態でも端末本体単体でも、充電装置に載置したときに、端末本体の表側の外面部（第２外面部）と裏側の外面部（開閉部材）との少なくとも２位置を安定的に支持することができる。
【００２６】
請求項１６の発明では、本体側開口部は、第１外面部の長手方向の一方側に寄った構成で形成されており、第１外面部の長手方向において本体側開口部の他方側の端部は、第１外面部の長手方向の中心位置よりも他方側寄りに配置されており、第１外面部の長手方向においてカバー側開口部の他方側の端部は、第１外面部の長手方向の中心位置よりも他方側寄りに配置されている。
この構成によれば、本体側開口部が長手方向一方側寄りに配置され、長手方向中心位置よりも他方側に及ぶような本体構造のものにおいて有利になる。特に、端末本体及びカバー側開口部が上記構成であれば、カバー側開口部を端末本体の着脱の出入り口として利用し、カバーの伸縮性を利用して着脱しやすくなる。
【００２７】
請求項１７の発明では、端末本体は、情報コードを撮像する撮像部と、撮像部が撮像した情報コードを解読する解読部と、を備えた情報コード読取装置として構成され、端末本体の長手方向の一方側寄りに電池の出入口となる本体側開口部が設けられ、端末本体の長手方向他方側に情報コードからの光を取り込む読取口が形成されている。そして、装着状態において、第２被覆部が第２外面部を覆う面積よりも、第１被覆部が第１外面部を覆う面積のほうが大きくなっている。
この構成では、端末本体が情報コード読取装置として構成されるものにおいて、表側の露出部分を抑え、表側の保護効果を一層高めることができる。
【００２８】
請求項１８の発明では、第１被覆部及び第２被覆部において、装着状態のときの端末本体の長手方向における本体側開口部よりも読取口側の位置に、本体側開口部の内縁部よりも厚く構成された厚肉部がそれぞれ設けられている。
この構成では、本体側開口部よりも読取側の部位の衝撃吸収効果を一層高めることができるため、この部位の保護が一層求められる場合により有利になる。
【００２９】
請求項１９の発明によれば、請求項１０と同様の効果を奏する携帯端末システムを実現できる。
【００３０】
請求項２０の発明によれば、請求項１と同様の効果を奏するカバーを実現できる。
【図面の簡単な説明】
【００３１】
【図１】図１は、第１実施形態に係る携帯端末システムの外観を示す図であり、携帯端末が充電装置に載置された状態を示す正面図である。
【図２】図２は、第１実施形態に係る携帯端末システムの電気的構成を概略的に例示するブロック図である。
【図３】図３は、第１実施形態に係る携帯端末システムにおいて、携帯端末が充電装置に載置された状態を示す平面図である。
【図４】図４は、第１実施形態に係る携帯端末システムにおいて、携帯端末が充電装置に載置された状態を示す側面図である。
【図５】図５は、第１実施形態に係る携帯端末システムにおいて、携帯端末が充電装置に載置された状態を示す背面図である。
【図６】図６は、図３のＢ−Ｂ断面概略図である。
【図７】図７は、図１のＡ−Ａ断面概略図である。
【図８】図８は、図１の構成から充電装置を省略した状態を示す図である。
【図９】図９は、図３の構成から充電装置を省略した状態を示す図である。
【図１０】図１０は、図４の構成から充電装置を省略した状態を示す図である。
【図１１】図１１は、図５の構成から充電装置を省略した状態を示す図である。
【図１２】図１２は、図６の構成から充電装置を省略した状態を示す図である。
【図１３】図１３は、図７の構成から充電装置を省略した状態を示す図である。
【図１４】図１４は、第１実施形態に係る携帯端末システムにおいて、カバーを取り外した状態の端末本体が充電装置に載置された状態を示す正面図である。
【図１５】図１５は、第１実施形態に係る携帯端末システムにおいて、カバーを取り外した状態の端末本体が充電装置に載置された状態を示す平面図である。
【図１６】図１６は、第１実施形態に係る携帯端末システムにおいて、カバーを取り外した状態の端末本体が充電装置に載置された状態を示す側面図である。
【図１７】図１７は、第１実施形態に係る携帯端末システムにおいて、カバーを取り外した状態の端末本体が充電装置に載置された状態を示す背面図である。
【図１８】図１８は、図１５のＦ−Ｆ断面概略図である。
【図１９】図１９は、図１４のＥ−Ｅ断面概略図である。
【図２０】図２０（Ａ）は、図１の携帯端末システムを構成する充電装置の平面図であり、図２０（Ｂ）は、その正面図である。
【図２１】図２１（Ａ）は、図２０（Ａ）のＧ−Ｇ断面概略図であり、図２１（Ｂ）は、図２０（Ｂ）のＨ−Ｈ断面概略図である。
【図２２】図２２は、図１等に示す携帯端末システムにおいて、カバーに端末本体を装着する様子を説明する説明図である。
【図２３】図２３は、図１等に示す携帯端末システムにおいて、カバーに端末本体を装着する様子を図２２とは異なる方向から説明する説明図である。
【図２４】図２４（Ａ）は、図２２、図２３のように装着操作を行って装着した後の状態を示す説明図であり、図２４（Ｂ）は、図２４（Ａ）のＩ−Ｉ断面を概略的に示す断面概略図である。
【図２５】図２５は、他の実施形態に関し、図２４等に示す構成を変更した変更例１を示す説明図である。
【図２６】図２６は、図２５の構成の側面図である。
【図２７】図２７は、他の実施形態に関し、図２４等に示す構成を変更した変更例２を示す説明図である。
【発明を実施するための形態】
【００３２】
[第１実施形態]
以下、本発明を具現化した第１実施形態について、図面を参照して説明する。
（携帯端末システムの概要）
図１に示すように携帯端末システム１は、携帯端末１０と、置台として機能する充電装置１００とによって構成されており、携帯端末１０内に設けられた電池が充電装置１００によって充電される構成となっている。携帯端末１０は、電池の出入口となる本体側開口部７０が外面部に形成され且つ前記本体側開口部７０を開閉する開閉部材６０が設けられてなる端末本体１２と、少なくとも一部が伸縮性材料によって構成されると共に端末本体１２の外側を部分的に覆う構成で端末本体１２に装着されるカバー１４とを備えた構成となっている。また、充電装置１００は、携帯端末１０を載置可能に構成されており、携帯端末１０が載置された場合に、所定端子（端末本体の外部端子７８，７９（図１２等）及び充電装置１００の充電端子１３３、１３４（図２０））を介して充電電流を供給する構成となっている。
【００３３】
（携帯端末）
ここで、携帯端末１０の概要について、図２、図８等を参照して説明する。
図８等に示す携帯端末１０は、長手状の外観をなしており、その一端側のほぼ半分の領域が把持領域とされ、ユーザによって把持されつつ使用される構成をなしている。この携帯端末１０は、例えば、ユーザによって携帯されて様々な場所で用いられる携帯型の情報端末として構成されており、バーコードや二次元コードなどの情報コードを読み取る機能を有している。
【００３４】
図８に示すように、携帯端末１０は、ＡＢＳ樹脂等の合成樹脂材料などからなる長手状の筐体によって外郭が形成されている。この携帯端末１０は、図２に示すように、主に、照明光源２１、受光センサ２３、フィルタ２５、結像レンズ２７等の光学系と、メモリ３５、制御回路４０、第１操作部４１、第２操作部４２、表示部４６等のマイクロコンピュータ（以下「マイコン」という）系と、電池４９等の電源系と、から構成されている。なお、これらは、図略のプリント配線板に実装あるいはケース（図示略）内に内装されている。
【００３５】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して読取対象物Ｒに向けて照明光Ｌｆを照射可能に構成されている。
【００３６】
読取対象物Ｒは、例えば、樹脂材料、金属材料等の様々な対象が考えられ、このような読取対象物Ｒに対して印刷、ダイレクトマーキングなどによって形成された情報コードを読み取ることができるようになっている。また、読取対象物Ｒは、液晶表示器などの表示装置であってもよく、このような表示装置に表示された情報コードも読み取ることができるようになっている。読取対象となる情報コードは、ＱＲコード（登録商標）、データマトリックコード、マキシコード、その他の二次元コードなどであってもよく、バーコード等の一次元コードであってもよい。
【００３７】
受光センサ２３は、読取対象物Ｒや情報コードに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００３８】
フィルタ２５は、反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、読取口５８（図１８等）に入射する反射光Ｌｒを集光し、受光センサ２３の受光面２３ａに情報コードのコード画像を結像するように構成されている。
【００３９】
マイコン系は、増幅回路３１、Ａ／Ｄ変換回路３３、メモリ３５、アドレス発生回路３６、同期信号発生回路３８、制御回路４０、第１操作部４１、第２操作部４２、表示部４６、通信部４８等から構成されている。このマイコン系は、マイコン（情報処理装置）として機能し得る制御回路４０及びメモリ３５を中心として構成され、前述した光学系によって撮像された情報コードＣの画像信号をハードウェア的およびソフトウェア的に信号処理し得るものである。
【００４０】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００４１】
メモリ３５は、例えばＲＡＭ、ＲＯＭ、不揮発性メモリなどの公知の記憶装置によって構成されている。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１や受光センサ２３等の各ハードウェアを制御可能なシステムプログラムなども記憶されている。
【００４２】
制御回路４０は、携帯端末１０を全体的に制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、第１操作部４１、第２操作部４２、表示部４６、通信部４８等が接続されている。
【００４３】
通信部４８は、例えば、規格化された公知の有線通信方式（例えば、公知のシリアル通信方式、又はパラレル通信方式）、或いは無線通信方式（例えば、ＩｒＤＡ通信方式、Ｂｌｕｅｔｏｏｔｈ（登録商標）通信方式、無線ＬＡＮ通信方式等）でデータ通信を行うインタフェースとして構成されている。この通信部４８は、デコードされた情報コードのデータなどを外部装置へ送信したり、外部装置からの情報を受信可能に構成されている。そして、制御回路４０は、通信部４８に対するデータの出力や、通信部４８からのデータの取得などの各種情報処理を行う。
【００４４】
電源系は、電池４９や図示しない電源回路等により構成されている。電池４９は、例えば所定の直流電圧を発生可能な２次電池などによって構成され、例えば、リチウムイオン電池等の公知の充電池がこれに相当する。
【００４５】
（カバーによる被覆構造）
次に、携帯端末１０の特徴的構造について説明する。
携帯端末システム１では、図１、図３〜図７のように、端末本体１２がカバー１４で覆われた構造の携帯端末１０が充電装置１００に載置可能に構成され、使用時には、図８〜図１３のように携帯端末１０を充電装置１００から離脱させて使用できるようになっている。
【００４６】
図８〜図１３で示すように、携帯端末１０は、主として、端末本体１２と、カバー１４とによって構成されており、カバー１４が端末本体１２を覆うように装着されることで、これらが一体化する構造となっている。
【００４７】
図１１、図１３等で示すように、端末本体１２は、カバー１４の装着対象となる装置であり、部品の出入口となる本体側開口部７０が外面部（具体的には、端末本体１２の外殻をなすケースの外面部）に形成され、且つ本体側開口部７０を開閉する開閉部材６０が着脱可能な蓋体として設けられている。そして、端末本体１２における所定方向（上下方向）の一端部寄り（具体的には、端末本体１２において外部端子７８、７９が設けられた側である下端部寄り）に本体側開口部７０が形成されている。
【００４８】
なお、本明細書では、端末本体１２の長手方向が「所定方向」であり、この所定方向を端末本体１２の上下方向及び携帯端末１０の上下方向とする。図１０では、この所定方向（上下方向）を矢印Ｆ１にて概念的に示している。また、端末本体１２において所定方向（上下方向）と直交する所定の厚さ方向を、端末本体１２の前後方向及び携帯端末１０の前後方向としており、図１０では、この厚さ方向（前後方向）を矢印Ｆ２で示している。また、端末本体１２において上下方向及び厚さ方向（前後方向）と直交する所定の左右方向を、端末本体１２の幅方向及び携帯端末１０の幅方向としており、図１１では、この幅方向（左右方向）を矢印Ｆ３で示している。
【００４９】
カバー１４は、少なくとも一部が伸縮性材料によって構成され、端末本体１２の外側を部分的に覆う構成で端末本体１２に装着されるようになっている。このカバー１４は、図８〜図１３のように、当該カバー１４が端末本体１２に装着された装着状態において、端末本体１２における本体側開口部７０が設けられた側の外面部（具体的には、端末本体１２の厚さ方向（前後方向）一方側の後面部（裏面部））である第１外面部５１を覆う第１被覆部８１（図１１等）と、装着状態において、端末本体１２における本体側開口部７０が設けられた側とは反対側の外面部（具体的には、端末本体１２の厚さ方向（前後方向）他方側の前面部（表面部））である第２外面部５２を覆う第２被覆部８２（図８、図９等）と、を備えている。そして、図８〜図１３のように、カバー１４は、装着状態のときに端末本体１２における所定方向（端末本体１２の長手方向）の一端部側から他端部側に及ぶ構成となっており、図１１、図１３のように、第１被覆部８１には、装着状態において開閉部材６０を少なくとも部分的に露出させるカバー側開口部９０が形成されている。
【００５０】
カバー１４は、少なくともカバー側開口部９０が伸縮性を有する構成であり、具体的には、第１被覆部８１、第２被覆部８２、側面被覆部８３，８４のいずれもが伸縮性材料によって構成されている。伸縮性材料としては、ゴム、エラストマー、シリコーン等の公知の高分子材料、樹脂材料などを用いることができ、本構成では、例えば、カバー１４の全体がこのような伸縮性材料によって構成されている。
【００５１】
図１１のように、カバー１４に形成されるカバー側開口部９０は、開口の内縁部が開閉部材６０の外縁部に沿うように配置されており、カバー側開口部９０が開閉部材６０の外縁部に合わせた構成となっている。図１１の例では、開閉部材６０が矩形状となっており、カバー側開口部９０も、これに合わせた矩形状の開口形状となっている。
【００５２】
本構成では、図１４〜図１９で示すように、端末本体１２は、第１外面部５１及び第２外面部５２が長手状に構成された長手状の構造となっている。また、端末本体１２の側面部５３、５４も長手状となっており、端末本体１２の全体が長手状の箱状構造となっている。なお、端末本体１２は、全体的に直方体状に構成されており、第１外面部５１は、端末本体１２において厚さ方向（前後方向）一方側に形成された外面部（裏面部、又は後面部）に相当している。また、第２外面部５２は、端末本体１２において厚さ方向（前後方向）他方側に形成された外面部（表面部、又は前面部）に相当している。更に、側面部５３は、端末本体１２において幅方向（左右方向）一方側に形成された外面部に相当し、側面部５４は、端末本体１２において幅方向（左右方向）他方側に形成された外面部に相当している。そして、図１７、図１９等で示すように、本体側開口部７０は、第１外面部５１における長手方向一端部寄り（即ち、第１外面部５１において下端部寄り）に形成されている。更に、図２３のように、第１外面部５１の長手方向一端部（下端部）には、当該第１外面部５１の長手方向と直交する幅方向の両側に一対の角部５１ａ，５１ｂが形成されている。
【００５３】
このように端末本体１２が構成される一方で、図８〜図１３（特に図１１）のように、第１被覆部８１は、装着状態において、第１外面部５１の下端部両側に形成された一対の角部５１ａ，５１ｂ（図２３等）をそれぞれ覆う構成で配置されるようになっている。更に、図１０、図１１、図１３等で示すように、第１被覆部８１の外面部（表面部）においてカバー側開口部９０寄りの位置には、端末本体１２側とは反対側（即ち、外側）に突出する突出部８１ｄが部分的に形成されている。図１１、図１３等で示すように、突出部８１ｄは、幅方向に延びる長手状の形状となっており、当該突出部８１ｄの周囲に形成された第１被覆部８１の平坦な外面よりも外側（後方側）に突出した構造となっている。なお、突出部８１ｄの幅（上下方向の長さ）は、指でつまむことができる長さとなっている。
【００５４】
また、本構成では、図１４〜図１９等で示すように、開閉部材６０は、本体側開口部７０を閉塞可能な閉塞部６１と、閉塞部６１に連結されると共に外部からの変位操作が可能に構成された係合部６２とを備えた構成となっている。そして、端末本体１２は、図８〜図１３のような装着状態において、カバー側開口部９０寄りの位置に係合部６２が配置される構成である（特に、図１３を参照）。また、開閉部材６０は、閉塞部６１の外縁部と係合部６２との間に凹部６４が形成されている。そして、図１１のように、端末本体１２は、装着状態においてカバー側開口部９０の開口領域内に凹部６４の凹み領域が配置される構成となっている。この構成では、図１１のように、装着状態の携帯端末１０を裏面側（後面側）から見たときに、凹部６４における凹んだ空間（凹み領域）がカバー側開口部９０を介して視認できるようになっており、開閉部材６０の取り外し時には、カバー側開口部９０を大きく動かさずとも凹部６４内に直接的に指を挿入しやすくなっている。
【００５５】
このように構成される携帯端末１０は、図１〜図７で示すように、置台として機能する所定の充電装置１００によって保持され得る構成となっている。本構成において、カバー１４には、端末本体１２における開閉部材６０とは異なる部位を当該カバー１４の外部に露出させる第２開口部（表面側開口部９２、連続開口部９３，９４）が形成されている。そして、端末本体１２にカバー１４が装着された装着状態の携帯端末１０が充電装置１００に載置された載置状態では、図７のように、本体側開口部７０から露出する開閉部材６０が、充電装置１００の所定の裏面支持部１１１（裏面支持部１１１は、第１支持部の一例に相当）に接触して支持され、図６、図７のように、端末本体１２における第２開口部から露出する第２露出部（前面側露出部７２、連続露出部７３，７４）が、充電装置１００の所定の第２支持部（表面支持部１１２、角部側支持部１１３，１１４）に接触して支持される構成となっている。そして、図１４〜図１９のように、カバー１４が端末本体１２から取り外された取外状態で端末本体１２が充電装置１００に載置された場合でも、図１９のように、開閉部材６０が裏面支持部１１１に接触して支持され、図１８、図１９のように、上記第２露出部（前面側露出部７２、連続露出部７３，７４）が上記第２支持部（表面支持部１１２、角部側支持部１１３，１１４）に接触して支持される構成なっている。
【００５６】
充電装置１００の単体の構成は、図２０、図２１で示す通りである。具体的には、図２０（Ａ）、図２１（Ａ）（Ｂ）のように、充電装置１００は、上方側が開放した箱状形態となっており、携帯端末１０を載置して保持する場合には、充電装置１００に形成された凹状の収容部に、携帯端末１０の長手方向一端部（下端部）側が挿入されるようになっている（図６、図７等参照）。また、端末本体１２を載置して保持する場合には、充電装置１００に形成された凹状の収容部に、端末本体１２の長手方向一端部（下端部）側が挿入されるようになっている（図１８、図１９等参照）。図２０、図２１に示すように、充電装置１００において凹状に形成された収容部内では、表面支持部１１２と裏面支持部１１１とが互いに対向して配置され、それぞれが凹状空間に向けて突出した構成となっている。また、充電装置１００において凹状に形成された収容部内では、一対の角部側支持部１１３，１１４が互いに対向して配置され、それぞれが凹状空間に向けて突出した構成となっている。
【００５７】
図６、図７等で示すように、カバー１４は、端末本体１２の所定方向（長手方向）における第１外面部５１及び第２外面部５２のそれぞれの端部側（下端側）に設けられた端部側壁部５５を覆う端部側被覆部８５を備え、端部側被覆部８５に、第２開口部の少なくとも一部をなす連続開口部９３，９４（端部開口部）が形成されている。そして、装着状態の携帯端末１０が充電装置１００に載置された載置状態において、端部側壁部５５における連続開口部９３，９４（端部開口部）から露出する部分（端部側露出部に相当する側面角部５３ａ，５４ａの各一部分）が、充電装置１００に設けられた角部側支持部１１３，１１４（端部支持部）に接触して支持される。なお、端末本体１２の下端部に形成された外部端子７８、７９は、連続開口部９３，９４から下方側に露出するようになっており、図６等で示すように携帯端末１０が充電装置１００に装着される際には、連続開口部９３を介して外部端子７８と充電端子１３３とが接触し、連続開口部９４を介して外部端子７９と充電端子１３４とが接触するようになっている。更に、図１４〜図１９のように、カバー１４が端末本体１２から取り外された取外状態で端末本体１２が充電装置１００に載置された場合でも、上述の端部側露出部（端部側露出部に相当する側面角部５３ａ，５４ａの各一部分）が、充電装置１００の角部側支持部１１３，１１４（端部支持部）に接触して支持される構成となっており（図１８参照）、この場合も、外部端子７８と充電端子１３３とが接触し、外部端子７９と充電端子１３４とが接触するようになっている。
【００５８】
カバー１４は、端末本体１２の所定の幅方向両側に設けられた一対の側面部５３，５４をそれぞれ覆う一対の側面被覆部８３，８４を備え、一対の側面被覆部８３，８４に、第２開口部の少なくとも一部をなす連続開口部９３，９４（側面開口部）がそれぞれ形成されている。つまり、一方の連続開口部９３は、側面被覆部８３側から端部側被覆部８５側に連続して続く開口となっており、他方の連続開口部９４は、側面被覆部８４側から端部側被覆部８５側に連続して続く開口となっている。そして、装着状態の携帯端末１０が充電装置１００に載置された載置状態において、一対の側面部５３，５４における各々の連続開口部９３，９４（側面開口部）からそれぞれ露出する各部分（各側面露出部に相当する側面角部５３ａ，５４ａの各一部分）が、充電装置１００に設けられた一対の角部側支持部１１３，１１４（側面支持部）に接触して支持される。更に、図１４〜図１９のように、カバー１４が端末本体１２から取り外された取外状態で端末本体１２が充電装置１００に載置された場合でも、一対の側面露出部が、充電装置１００の一対の角部側支持部１１３，１１４（側面支持部）にそれぞれ接触して支持される構成となっている（図１８等参照）。
【００５９】
具体的には、図６等で示す装着状態において、一対の側面部５３，５４におけるそれぞれの端部である側面角部５３ａ，５４ａが一対の連続開口部９３，９４（側面開口部）からそれぞれ露出する構成となっており、装着状態の携帯端末１０が充電装置１００に載置された載置状態において、一対の側面角部５３ａ，５４ａが充電装置１００に設けられた一対の角部側支持部１１３，１１４（側面支持部）にそれぞれ接触して支持される。そして、端末本体１２の下端部に形成された外部端子７８、７９は、連続開口部９３，９４から下方側に露出し、図６等で示すように携帯端末１０が充電装置１００に装着される際には、連続開口部９３を介して外部端子７８と充電端子１３３とが接触し、連続開口部９４を介して外部端子７９と充電端子１３４とが接触するようになっている。一方、図１４〜図１９のように、カバー１４が端末本体１２から取り外された取外状態で端末本体１２が充電装置１００に載置された場合でも、一対の側面角部５３ａ，５４ａが、充電装置１００の一対の角部側支持部１１３，１１４（側面支持部）にそれぞれ接触して支持される構成となっている（図１８参照）。そして、この場合も、外部端子７８と充電端子１３３とが接触し、外部端子７９と充電端子１３４とが接触するようになっている。
【００６０】
また、図７のように、前面側（表面側）の第２被覆部８２において、第２開口部の少なくとも一部をなす表面側開口部９２が形成されている。図７等で示すように、表面側開口部９２は、端末本体１２に形成された放音孔５９をカバー１４の外側に露出させるように形成されている。この放音孔５９は、例えば、図示しないスピーカやブザーなどの音発生手段からの音が放出される孔である。そして、図７のように、カバー１４が装着された装着状態の携帯端末１０が充電装置１００に載置された載置状態では、表面側開口部９２から露出する第２外面部５２が、充電装置１００の表面支持部１１２に接触して支持されるようになっている。また、図１４〜図１９のように、カバー１４が端末本体１２から取り外された取外状態で端末本体１２が充電装置１００に載置された場合でも、第２外面部５２における上記露出部分（装着状態のときに表面側開口部９２から露出する部分）が充電装置１００の表面支持部１１２に接触して支持される構成なっている（図１９参照）。
【００６１】
また、本構成では、本体側開口部７０は、第１外面部５１の長手方向の一方側（下端側）に寄った構成で形成されており、第１外面部５１の長手方向において本体側開口部７０の他方側の端部（即ち、本体側開口部７０の上端部）は、第１外面部５１の長手方向の中心位置よりも他方側寄り（即ち、上方寄り）に配置されており、第１外面部５１の長手方向においてカバー側開口部９０の他方側の端部（即ち、カバー側開口部９０の上端部）は、第１外面部５１の長手方向の中心位置よりも他方側寄り（即ち、上方寄り）に配置されている。
【００６２】
また、本構成では、上述したように、端末本体１２が、情報コードを撮像する受光センサ２３（撮像部）と、受光センサ２３（撮像部）が撮像した情報コードを解読する解読部と、を備えた情報コード読取装置として構成され、端末本体１２の長手方向の一方側寄り（即ち、下方寄り）に電池の出入口となる本体側開口部７０が設けられ、端末本体１２の長手方向他方側（即ち、上方側）に情報コードからの光を取り込む読取口５８が形成されている。そして、装着状態において、第２被覆部８２が第２外面部５２を覆う面積よりも、第１被覆部８１が第１外面部５１を覆う面積のほうが大きくなっている。
【００６３】
図７等で示すように、第１被覆部８１及び第２被覆部８２において、装着状態のときの端末本体１２の長手方向における本体側開口部７０よりも読取口５８側の位置（即ち、本体側開口部７０よりも上方側の位置）に、本体側開口部７０の開口の内縁部よりも厚く構成された厚肉部８１ａ，８２ａがそれぞれ設けられている。また、図８等で示すように、側面被覆部８３，８４における本体側開口部７０よりも読取口５８側の位置（即ち、本体側開口部７０よりも上方側の位置）にも、同様の厚肉部８３ａ，８４ａがそれぞれ設けられている。
【００６４】
（本構成の効果の例）
本構成によれば、カバー１４が端末本体１２に装着された装着状態のときに端末本体１２における所定方向の一端部側から他端部側に及ぶ構成でカバー１４が配置されるため、端末本体１２のより広い領域を保護することができる。更に、カバー１４の第１被覆部８１には、装着状態において開閉部材６０を少なくとも部分的に露出させるカバー側開口部９０が形成され、少なくともカバー側開口部９０が伸縮性を有する構成となっている。この構成によれば、装着状態のときに開閉部材６０を開閉する必要が生じた場合に、カバー１４を完全に取り外さずに開閉部材６０を開閉することができる。従って、装着状態のときでも開閉部材６０の開閉操作が行いやすくなり、メンテナンス等において使用者の作業負担をより低減することができる。
【００６５】
また、本構成に係るカバー１４は、端末本体１２の保護に限定されるものではなく、例えば携帯端末１０の意匠を変更する用途としても使用できる。例えば、色の異なるカバー１４を複数種類用意しておけば、携帯端末１０の一部或いは大部分を様々な色に変更できるようになる。また、カバー１４は、端末の持ちやすさを向上させる用途として利用されてもよい。例えば、端末本体１２の外面部と比較してカバ１４の外面部が把持しやすい形状であったり、滑りにくい表面構造であれば、端末本体１２を単体で把持するよりもカバー１４を装着した状態の携帯端末１０の方がより持ちやすくなる。
【００６６】
また、本構成では、第１被覆部８１及び第２被覆部８２のいずれもが伸縮性材料によって構成されている。この構成では、カバー１４が全体的に伸縮しやすく、変形の自由度が大きいため、端末本体１２に対するカバー１４の着脱操作がより行いやすくなる。
【００６７】
なお、カバー１４に対する装着操作は、例えば、図２２、図２３のように行うことができる。この例では、図２３のように、カバー１４のカバー側開口部９０に対し、端末本体１２の長手方向一端部側（読取口５８側）を挿入し、最終的に、図２４のように装着している。挿入時には、カバー１４の全体、特に、大きく構成されたカバー側開口部９０付近を拡張等させるように変形することが可能であり、広く開放されたカバー側開口部９０を通して端末本体１２をカバー１４の内部に挿入且つ装着できるようになっている。なお、図２２〜図２４では、第１実施形態に係る構成の一部を簡略化して示している。
【００６８】
また、本構成では、装着状態において、カバー側開口部９０が開閉部材６０の外縁部に沿って配置されている。このようにカバー側開口部９０が開閉部材６０の外縁部に合わせた構成となっていれば、開閉部材６０を開閉する必要が生じた場合に、カバー側開口部９０をそれほど変形させなくても開閉部材６０を開閉することが可能となり、使用者の作業負担を一層低減することができる。
【００６９】
また、本構成では、端末本体１２は、第１外面部５１及び第２外面部５２が長手状に構成された長手状の構造であり、本体側開口部７０は、第１外面部５１の長手方向一端部寄りに形成されており、第１外面部５１の長手方向一端部には、当該第１外面部５１の長手方向と直交する幅方向の両側に一対の角部５１ａ，５１ｂが形成されている。そして、第１被覆部８１は、装着状態において一対の角部  ５１ａ，５１ｂをそれぞれ覆う構成で配置される。
この構成によれば、第１外面部５１の長手方向一端部寄りに本体側開口部７０を設け、第１外面部５１の長手方向一端部側で開閉部材６０を開閉可能な構成を実現しつつ、その長手方向一端部側に形成された角部５１ａ，５１ｂを効果的に保護することができる。つまり、第１外面部５１の長手方向一端部寄りの本体側開口部７０に合わせて開口領域（カバー側開口部９０の開口領域）を設けつつも、それよりも端部側の角位置に衝撃吸収部分を設けることができるため、開口領域が角位置まで続く構成と比較して開口領域内に衝撃が加わりにくくなり、機器の保護効果がより高くなる。
【００７０】
また、本構成では、第１被覆部８１の外面部においてカバー側開口部寄りの位置（カバー側開口部９０側に寄った位置）に、端末本体側（端末本体１２側）とは反対側に突出する突出部８１ｄが部分的に形成されている。この構成では、装着状態のときに開閉部材６０を開閉する必要が生じた場合に、カバー側開口部９０を変形する操作を行いやすくなる。例えば、突出部８２ｄを指等で挟み込んで引っ張るといった操作を行えば、端末本体１２に密着したカバー側開口部９０付近を容易に変形させることができる。
【００７１】
また、本構成では、開閉部材６０が、本体側開口部７０を閉塞可能な閉塞部６１と、閉塞部６１に連結されると共に外部からの変位操作が可能に構成された係合部６２と、を備えている。そして、端末本体１２は、装着状態においてカバー側開口部９０寄りの位置に係合部６２が配置されている。
この構成では、装着状態のときに開閉部材６０を開放する場合、カバー側開口部９０寄りに設けられた係合部６２にアクセスして係合を解除すれば良いため、係合解除の際にも、カバー１４をそれほど大きく変形させる必要がない。
【００７２】
また、本構成では、開閉部材６０は、閉塞部６１の外縁部と係合部６２との間に凹部６４が形成されている。端末本体１２は、装着状態においてカバー側開口部９０の開口領域内に凹部６４の凹み領域が配置される構成となっている。
この構成では、装着状態のときに開閉部材６０を開閉する必要が生じた場合に、係合部６２に対する操作を行いやすくなる。特に、開口領域内に凹み領域が存在するため、この凹み領域に指を挿入して係合部６２にアクセスするといった操作が行いやすくなる。
【００７３】
また、本構成では、携帯端末１０は、所定の充電装置１００によって保持され得る構成であり、カバー１４には、端末本体１２における開閉部材６０とは異なる部位を当該カバー１４の外部に露出させる第２開口部が形成されている。そして、装着状態の携帯端末１０が充電装置に載置された載置状態において、本体側開口部７０から露出する開閉部材６０が、充電装置の所定の裏面支持部１１１に接触して支持され、端末本体１２における第２開口部から露出する第２露出部が、充電装置１００の所定の第２支持部に接触して支持される構成となっている。
この構成によれば、カバー１４を装着した状態で端末本体１２を充電装置１００に載置した場合でも、端末本体１２が安定的に保持されることになる。特に、本体側開口部７０から露出する開閉部材６０と、第２開口部から露出する第２露出部とを、充電装置の裏面支持部１１１及び第２支持部によってそれぞれ支持することができるため、伸縮性のあるカバー１４だけを支持する構成と比較してぐらつき等を抑えやすく、安定的な保持が可能となる。
【００７４】
また、本構成では、カバー１４が端末本体１２から取り外された取外状態で端末本体１２が充電装置１００に載置された場合でも、開閉部材６０が裏面支持部１１１に接触して支持され、第２露出部が第２支持部に接触して支持される構成となっている。
この構成によれば、カバー１４が装着された装着状態のときでも、カバー１４が装着されていない端末本体１２単体のときでも、開閉部材６０と第２露出部とを充電装置によって支持することができ、いずれの場合でも、支持の安定化が図られる。しかも、装着状態のときでも端末本体１２単体のときでも、同様の支持位置で支持されるため、いずれの場合でも、充電が適切に行われる姿勢に保ちやすくなる。
【００７５】
また、本構成では、カバー１４は、端末本体１２の所定方向における第１外面部５１及び第２外面部５２のそれぞれの端部側に設けられた端部側壁部５５を覆う端部側被覆部８５を備え、端部側被覆部８５に、第２開口部の少なくとも一部をなす端部開口部が形成されている。そして、装着状態の携帯端末１０が充電装置に載置された載置状態において、端部側壁部５５における連続開口部９３，９４（端部開口部）から露出する端部側露出部が、充電装置に設けられた角部側支持部１１３，１１４（端部支持部）に接触して支持され、カバー１４が端末本体１２から取り外された取外状態で端末本体１２が充電装置に載置された場合でも、端部側露出部が、充電装置の角部側支持部１１３，１１４（端部支持部）に接触して支持される構成となっている。
この構成では、カバー１４が装着された装着状態のときでも、カバー１４が装着されていない端末本体１２単体のときでも、端部側露出部が充電装置１００に支持されることになる。従って、装着状態の場合と端末本体１２単体の場合とで、充電装置１００に支持される端末の高さが変化しにくくなり、いずれの場合でも、所望の支持高さが維持されやすくなる。
【００７６】
また、本構成では、カバー１４は、端末本体１２の所定の幅方向両側に設けられた一対の側面部５３，５４をそれぞれ覆う一対の側面被覆部８３，８４を備え、一対の側面被覆部８３，８４に、第２開口部の少なくとも一部をなす連続開口部９３，９４（側面開口部）がそれぞれ形成されている。そして、装着状態の携帯端末１０が充電装置に載置された載置状態において、一対の側面部５３，５４における各々の連続開口部９３，９４（側面開口部）からそれぞれ露出する各側面露出部が、充電装置１００に設けられた一対の角部側支持部１１３，１１４（側面支持部）に接触して支持され、カバー１４が端末本体１２から取り外された取外状態で端末本体１２が充電装置１００に載置された場合でも、一対の側面露出部が、充電装置の一対の角部側支持部１１３，１１４（側面支持部）にそれぞれ接触して支持される構成となっている。
この構成では、装着状態でも端末本体１２単体でも、充電装置１００に載置したときに、端末本体１２の両側面と開閉部材６０との少なくとも３位置を安定的に支持することができる。
【００７７】
具体的には、装着状態において、一対の側面部５３，５４におけるそれぞれの端部である側面角部５３ａ，５４ａが一対の連続開口部９３，９４（側面開口部）からそれぞれ露出する構成であり、装着状態の携帯端末１０が充電装置に載置された載置状態において、一対の側面角部５３ａ，５４ａが充電装置１００に設けられた一対の角部側支持部１１３，１１４（側面支持部）にそれぞれ接触して支持され、カバー１４が端末本体１２から取り外された取外状態で端末本体１２が充電装置に載置された場合でも、一対の側面角部５３ａ，５４ａが、充電装置１００の一対の角部側支持部１１３，１１４（側面支持部）にそれぞれ接触して支持される構成となっている。
この構成では、装着状態でも端末本体１２単体でも、充電装置１００に載置したときに、端末本体１２の両側面角部５３ａ，５４ａと開閉部材６０との少なくとも３位置を安定的に支持することができる。
【００７８】
また、本構成では、第２被覆部８２において、第２開口部の少なくとも一部をなす表面側開口部９２が形成されており、装着状態の携帯端末１０が充電装置に載置された載置状態において、表面側開口部９２から露出する第２外面部５２が、充電装置の表面支持部１１２に接触して支持され、カバー１４が端末本体１２から取り外された取外状態で端末本体１２が充電装置に載置された場合でも、第２外面部５２が、充電装置の表面支持部１１２に接触して支持される構成なっている。
この構成では、装着状態でも端末本体１２単体でも、充電装置１００に載置したときに、端末本体１２の表側の外面部（第２外面部５２）と裏側の外面部（開閉部材６０）との少なくとも２位置を安定的に支持することができる。
【００７９】
また、本構成では、本体側開口部７０は、第１外面部５１の長手方向の一方側に寄った構成で形成されており、第１外面部５１の長手方向において本体側開口部７０の他方側の端部は、第１外面部５１の長手方向の中心位置よりも他方側寄りに配置されており、第１外面部５１の長手方向においてカバー側開口部９０の他方側の端部は、第１外面部５１の長手方向の中心位置よりも他方側寄りに配置されている。
この構成によれば、本体側開口部７０が長手方向一方側寄りに配置され、長手方向中心位置よりも他方側に及ぶような本体構造のものにおいて有利になる。特に、端末本体１２及びカバー側開口部９０が上記構成であれば、カバー側開口部９０を端末本体１２の着脱の出入り口として利用し、カバー１４の伸縮性を利用して着脱しやすくなる。
【００８０】
また、本構成では、端末本体１２は、情報コードを撮像する受光センサ２３（撮像部）と、受光センサ２３（撮像部）が撮像した情報コードを解読する解読部と、を備えた情報コード読取装置として構成され、端末本体１２の長手方向の一方側寄りに電池の出入口となる本体側開口部７０が設けられ、端末本体１２の長手方向他方側に情報コードからの光を取り込む読取口５８が形成されている。そして、装着状態において、第２被覆部８２が第２外面部５２を覆う面積よりも、第１被覆部８１が第１外面部５１を覆う面積のほうが大きくなっている。
この構成では、端末本体１２が情報コード読取装置として構成されるものにおいて、表側の露出部分を抑え、表側の保護効果を一層高めることができる。
【００８１】
また、本構成では、第１被覆部８１及び第２被覆部８２において、装着状態のときの端末本体１２の長手方向における本体側開口部７０よりも読取口側（即ち、上下方向において本体側開口部７０よりも上側）の位置に、本体側開口部７０の内縁部よりも厚く構成された厚肉部８１ａ，８２ａがそれぞれ設けられている。
この構成では、本体側開口部７０よりも読取側の部位の衝撃吸収効果を一層高めることができるため、この部位の保護が一層求められる場合により有利になる。
【００８２】
［他の実施形態]
本発明は上記記述及び図面によって説明した実施形態に限定されるものではなく、例えば次のような実施形態も本発明の技術的範囲に含まれる。
【００８３】
第１実施形態では、図１０、図１１のような突出部８１ｄを例示したが、突出部の構成については、図２５、図２６のように変更してもよい。図２５、図２６の例では、第１被覆部８１の外面部においてカバー側開口部９０寄りの２位置に、端末本体１２側とは反対側に突出する突出部８１ｄ，８１ｅが部分的に形成されている。これら突出部８１ｄ，８１ｅのいずれも、周囲に隣接する平坦なカバー外面から外側に突出している。具体的には、カバー側開口部９０における上方側（読取口５８側）の開口端近傍に幅方向に延びる突出部８１ｄが形成され、カバー側開口部９０における読取口とは反対側の開口端近傍に突出部８１ｅが形成されている。この構成でも、装着状態のときに開閉部材６０を開閉する必要が生じた場合に、カバー側開口部９０を変形する操作を行いやすくなる。例えば、突出部８１ｄや８１ｅを指等で挟み込んで引っ張るといった操作を行えば、端末本体１２に密着したカバー側開口部９０付近を容易に変形させることができる。また、カバー１４において係合部６２付近を容易に変形させやすくなるため、係合部６２に対する係合解除操作を行いやすくなる。
【００８４】
第１実施形態では、図１１、図２４（Ａ）のようなカバー側開口部を例示したが、カバー側開口部の構成については、図２７のように変更してもよい。図２７の第１被覆部８１の構造は、端末本体１２にカバー１４が装着された装着状態においてカバー側開口部９０の開口領域内に開閉部材６０の全体が収まる構成となっている。具体的には、図２７（Ａ）のように、装着状態の携帯端末１０を裏側から見たときに、端末本体１２の開閉部材６０における露出部分の外縁部の全体がカバー側開口部９０を介して外側から視認できるようになっている。この構成によれば、装着状態において開閉部材６０を開閉する必要が生じた場合に、カバー側開口部９０をそれほど動かさなくても、或いは全く動かさなくても開閉部材６０を開閉することが可能となり、開閉部材６０の開閉操作をより一層簡単に行うことができる。また、装着状態において凹部６４や係合部６２が露出しているため、開閉部材６０の着脱時にこれらに対する操作をより容易に行いやすくなる。
【００８５】
なお、図２５〜図２７の例では、カバー１４の構成として、第１実施形態のような第２開口部を省略した簡略構造を例示しているが、カバー１４において、第１実施形態と同様の第２開口部を設けてもよい。
【００８６】
上記実施形態では、置台として充電機能を有する充電装置１００を例示したが、充電機能を有していなくてもよい。また、非接触式の充電機能を有する充電装置などであってもよい。
【符号の説明】
【００８７】
１…携帯端末システム
１０…携帯端末
１２…端末本体
１４…カバー
２３…受光センサ（撮像部）
４０…制御回路（解読部）
５１…第１外面部
５１ａ，５１ｂ…角部
５２…第２外面部
５３，５４…側面部
５３ａ，５４ａ…側面角部
５５…端部側壁部
５８…読取口
６０…開閉部材
６１…閉塞部
６２…係合部
６４…凹部
７０…本体側開口部
７２…前面側露出部（第２露出部）
７３，７４…連続露出部（端部側露出部、側面露出部、第２露出部）
８１…第１被覆部
８１ａ…厚肉部
８２…第２被覆部
８２ａ…厚肉部
８３，８４…側面被覆部
８５…端部側被覆部
９０…カバー側開口部
９２…表面側開口部（第２開口部）
９３，９４…連続開口部（端部開口部、側面開口部、第２開口部）
１１１…裏面支持部（第１支持部）
１１２…表面支持部（第２支持部）
１１３，１１４…角部側支持部（端部支持部、側面支持部、第２支持部）
【図１】
2016018452.tif 000003
【図２】
2016018452.tif 000004
【図３】
2016018452.tif 000005
【図４】
2016018452.tif 000006
【図５】
2016018452.tif 000007
【図６】
2016018452.tif 000008
【図７】
2016018452.tif 000009
【図８】
2016018452.tif 000010
【図９】
2016018452.tif 000011
【図１０】
2016018452.tif 000012
【図１１】
2016018452.tif 000013
【図１２】
2016018452.tif 000014
【図１３】
2016018452.tif 000015
【図１４】
2016018452.tif 000016
【図１５】
2016018452.tif 000017
【図１６】
2016018452.tif 000018
【図１７】
2016018452.tif 000019
【図１８】
2016018452.tif 000020
【図１９】
2016018452.tif 000021
【図２０】
2016018452.tif 000022
【図２１】
2016018452.tif 000023
【図２２】
2016018452.tif 000024
【図２３】
2016018452.tif 000025
【図２４】
2016018452.tif 000026
【図２５】
2016018452.tif 000027
【図２６】
2016018452.tif 000028
【図２７】
2016018452.tif 000029